(57)【特許請求の範囲】
【請求項１】
車両に取り付けて使用されるマイクロ波検出装置であって、
ＧＰＳ信号を受信して受信データを出力するＧＰＳ受信部（１２）と、
前記受信データから車両の現在位置を検出して位置情報として出力する位置検出部（１３）と、
前記車両の現在の走行速度を検出して速度情報として出力する速度検出部（１４）と、
現在時刻を検出して時刻情報として出力する時刻検出部（１５）と、
前記位置情報、前記速度情報および前記時刻情報からなる履歴情報を記憶する履歴情報記憶部（２５）と、
マイクロ波を検知するマイクロ波検知部（２２）と、
制御部（２３）とを有してなり、
前記制御部（２３）は、前記マイクロ波検知部（２２）が所定の周波数のマイクロ波を検知したときの前記位置情報と前記速度情報と前記時刻情報とに基づく前記履歴情報を前記履歴情報記憶部（２５）に記憶させる、ことを特徴とするマイクロ波検出装置。
【請求項２】
車両に取り付けて使用されるマイクロ波検出装置であって、
ＧＰＳ信号を受信して受信データを出力するＧＰＳ受信部（１２）と、
前記受信データから車両の現在位置を検出して位置情報として出力する位置検出部（１３）と、
前記車両の現在の走行速度を検出して速度情報として出力する速度検出部（１４）と、
現在時刻を検出して時刻情報として出力する時刻検出部（１５）と、
前記位置情報、前記速度情報および前記時刻情報からなる履歴情報を記憶する履歴情報記憶部（２５）と、
レーダ式速度測定器が設置された場所を表す場所情報が記憶された場所情報記憶部（２７）と、
制御部（２３）とを有してなり、
前記制御部（２３）は、前記車両の現在位置が前記場所情報に記憶された位置から所定の範囲内に達したときの前記位置情報と前記速度情報と前記時刻情報とに基づく前記履歴情報を前記履歴情報記憶部（２５）に記憶させる、ことを特徴とするマイクロ波検出装置。
【請求項３】
車両に取り付けて使用されるマイクロ波検出装置であって、
ＧＰＳ信号を受信して受信データを出力するＧＰＳ受信部（１２）と、
前記受信データから車両の現在位置を検出して位置情報として出力する位置検出部（１３）と、
前記車両の現在の走行速度を検出して速度情報として出力する速度検出部（１４）と、
現在時刻を検出して時刻情報として出力する時刻検出部（１５）と、
前記位置情報、前記速度情報および前記時刻情報からなる履歴情報を記憶する履歴情報記憶部（２５）と、
前記マイクロ波検出装置のユーザの操作によりオンとなる履歴情報記憶用スイッチ（２８）と、
制御部（２３）とを有してなり、
前記制御部（２３）は、前記履歴情報記憶用スイッチ（２８）がオンになったときの前記位置情報と前記速度情報と前記時刻情報とに基づく前記履歴情報を前記履歴情報記憶部（２５）に記憶させる、ことを特徴とするマイクロ波検出装置。
【請求項４】
表示部（２６）と、前記マイクロ波検出装置のユーザの操作によりオンとなる表示用スイッチ（２９）とをさらに有してなり、
前記制御部（２３）は、前記表示用スイッチ（２９）がオンになったときに前記表示部（２６）に前記履歴情報を表示する、ことを特徴とする請求項１から３のいずれか１に記載のマイクロ波検出装置。
【発明の詳細な説明】
【技術分野】
【０００１】
本発明は、マイクロ波検出装置に関するものである。
【背景技術】
【０００２】
マイクロ波（レーダー波）を用いて位置測定や速度測定などを行う装置は公知である。例えば、レーダ式スピード測定器の一種でありオービスと称される無人式速度取締装置は、自動車等の車両の速度の取締を行うために使用される。この速度取締装置は、所定の位置に設置され、移動する車両に向けて発射した所定周波数帯域のマイクロ波の反射波から車両の走行速度を測定している。
【０００３】
一方、上記のマイクロ波を検知するためのマイクロ波検出装置が知られている。この種のマイクロ波検出装置では、マイクロ波を検出した際に音声や光などによるアラーム（警報）を発生する構造となっている。より具体的には、このマイクロ波検出装置は、例えば上記の無人式速度取締装置が設置された場所に近づいた際、アンテナを介して受信した電波に、所定の周波数帯域で一定の電界強度以上のマイクロ波が存在している場合にアラームを鳴らして運転者に警報を発生するように構成される。
【０００４】
この種のマイクロ波検出装置としては、例えば、特開２００２−２８６８３２号公報に記載されたものがある。
【特許文献１】特開２００２−２８６８３２号
【発明の開示】
【発明が解決しようとする課題】
【０００５】
ところで、上記の無人式速度取締装置により車両の速度違反が検知された場合、例えば、速度違反がなされた車両の写真と共に速度違反の発生時刻（年月日および時間）および違反速度が記録される。そして、後日、例えば１ヶ月後に違反者にその旨の通知がなされる。ここで、速度取締装置による車両の走行速度の測定においては誤差やエラーは避けられない。例えば、速度違反とされた車両の並走車両、後続車両、あるいは反対車線の走行車両などとの位置関係や走行状況によっては、速度取締装置から発射されたマイクロ波がこれら車両に反射したり、あるいは妨害されたりすることで速度計測に大きな誤差を生じることがある。
【０００６】
しかしながら、従来のマイクロ波検出装置は、通常は、マイクロ波を検出したことを警報する機能しか有しておらず、このため、警報発生時における車両の速度は例えば車両に設置された速度計から確認できるものの、上記のように後日速度違反として通知されたケースには全く対応できない。
【０００７】
そこで、本発明は、車両の運行の履歴情報を適切なタイミングで記憶させることができる、マイクロ波検出装置を提供することを課題とする。
【課題を解決するための手段】
【０００８】
請求項１記載の本発明のマイクロ波検出装置は、車両に取り付けて使用されるマイクロ波検出装置であって、ＧＰＳ信号を受信して受信データを出力するＧＰＳ受信部１２と、前記受信データから車両の現在位置を検出して位置情報として出力する位置検出部１３と、前記車両の現在の走行速度を検出して速度情報として出力する速度検出部１４と、現在時刻を検出して時刻情報として出力する時刻検出部１５と、前記位置情報、前記速度情報および前記時刻情報からなる履歴情報を記憶する履歴情報記憶部２５と、マイクロ波を検知するマイクロ波検知部２２と、制御部２３とを有してなり、前記制御部２３は、前記マイクロ波検知部２２が所定の周波数のマイクロ波を検知したときの前記位置情報と前記速度情報と前記時刻情報とに基づく前記履歴情報を前記履歴情報記憶部２５に記憶させる、ことを特徴とするものである。
【０００９】
請求項２記載の本発明のマイクロ波検出装置は、車両に取り付けて使用されるマイクロ波検出装置であって、ＧＰＳ信号を受信して受信データを出力するＧＰＳ受信部１２と、前記受信データから車両の現在位置を検出して位置情報として出力する位置検出部１３と、前記車両の現在の走行速度を検出して速度情報として出力する速度検出部１４と、現在時刻を検出して時刻情報として出力する時刻検出部１５と、前記位置情報、前記速度情報および前記時刻情報からなる履歴情報を記憶する履歴情報記憶部２５と、レーダ式速度測定器が設置された場所を表す場所情報が記憶された場所情報記憶部２７と、制御部２３とを有してなり、前記制御部２３は、前記車両の現在位置が前記場所情報に記憶された位置から所定の範囲内に達したときの前記位置情報と前記速度情報と前記時刻情報とに基づく前記履歴情報を前記履歴情報記憶部２５に記憶させる、ことを特徴とするものである。
【００１０】
請求項３記載の本発明のマイクロ波検出装置は、車両に取り付けて使用されるマイクロ波検出装置であって、ＧＰＳ信号を受信して受信データを出力するＧＰＳ受信部１２と、前記受信データから車両の現在位置を検出して位置情報として出力する位置検出部１３と、前記車両の現在の走行速度を検出して速度情報として出力する速度検出部１４と、現在時刻を検出して時刻情報として出力する時刻検出部１５と、前記位置情報、前記速度情報および前記時刻情報からなる履歴情報を記憶する履歴情報記憶部２５と、前記マイクロ波検出装置のユーザの操作によりオンとなる履歴情報記憶用スイッチ２８と、制御部２３とを有してなり、前記制御部２３は、前記履歴情報記憶用スイッチ２８がオンになったときの前記位置情報と前記速度情報と前記時刻情報とに基づく前記履歴情報を前記履歴情報記憶部２５に記憶させる、ことを特徴とするものである。
【００１１】
請求項１記載の発明において、さらに次の構成としても良い。すなわち、レーダ式速度測定器が設置された場所を表す場所情報が記憶された場所情報記憶部２７をさらに設けると共に、前記制御部２３に、前記車両の現在位置が前記場所情報に記憶された位置から所定の範囲内に達したときの前記位置情報と前記速度情報と前記時刻情報とに基づく前記履歴情報を前記履歴情報記憶部２５に記憶させる処理をさらに行わせる。あるいは、前記マイクロ波検出装置のユーザの操作によりオンとなる履歴情報記憶用スイッチ２８をさらに設ける共に、前記制御部２３に、前記履歴情報記憶用スイッチ２８がオンになったときの前記位置情報と前記速度情報と前記時刻情報とに基づく前記履歴情報を前記履歴情報記憶部２５に記憶させる処理をさらに行わせる。
【００１２】
また、請求項２記載の発明においてはさらに次の構成としても良い。すなわち、マイクロ波を検知するマイクロ波検知部２２をさらに設けると共に、前記制御部２３に、前記マイクロ波検知部２２が所定の周波数のマイクロ波を検知したときの前記位置情報と前記速度情報と前記時刻情報とに基づく前記履歴情報を前記履歴情報記憶部２５に記憶させる処理をさらに行わせる。あるいは、前記マイクロ波検出装置のユーザの操作によりオンとなる履歴情報記憶用スイッチ２８をさらに設ける共に、前記制御部２３に、前記履歴情報記憶用スイッチ２８がオンになったときの前記位置情報と前記速度情報と前記時刻情報とに基づく前記履歴情報を前記履歴情報記憶部２５に記憶させる処理をさらに行わせる。
【００１３】
さらに、請求項３記載の発明においてはさらに次の構成としても良い。すなわち、マイクロ波を検知するマイクロ波検知部２２をさらに設けると共に、前記制御部２３に、前記レーダ検知部２２が所定の周波数のマイクロ波を検知したときの前記位置情報と前記速度情報と前記時刻情報とに基づく前記履歴情報を前記履歴情報記憶部２５に記憶させる処理をさらに行わせる。あるいは、レーダ式速度測定器が設置された場所を表す場所情報が記憶された場所情報記憶部２７をさらに設けると共に、前記制御部２３に、前記車両の現在位置が前記場所情報に記憶された位置から所定の範囲内に達したときの前記位置情報と前記速度情報と前記時刻情報とに基づく前記履歴情報を前記履歴情報記憶部２５に記憶させる処理をさらに行わせる。
【００１４】
また、上記の各発明において、表示部（ＬＣＤ、ＬＥＤなど）２６と、前記マイクロ波検出装置のユーザの操作によりオンとなる表示用スイッチ２９とをさらに設けてあり、前記表示用スイッチ２９がオンになったときに表示部２６に履歴情報を表示する構成としても良い。
【発明の効果】
【００１５】
本発明のマイクロ波検出装置では、マイクロ波検知部２２が所定周波数のマイクロ波を検知したタイミング、車両がレーダ式速度測定器の設置場所に到達したタイミングなどにおいて車両の運行の履歴情報を記憶させることができる。このため上記のような速度違反の通知がなされた場合において、通知により示された速度違反の内容を車両運転者が自ら検証でき、このため、通知内容に誤りがある場合にはその旨の反論を運転者が行うことが可能となる。
【発明を実施するための最良の形態】
【００１６】
以下に、本発明のマイクロ波検出装置の実施形態を説明する。
図１は実施形態のマイクロ波検出装置の要部を示したブロック図である。このマイクロ波検出装置は、自動車などの車両（図示せず）に取り付けて使用されるものであり、ＧＰＳ受信部１と、マイクロ波受信部２とから構成される。
【００１７】
ＧＰＳ受信部１は、ＧＰＳ用アンテナ１１、ＧＰＳ受信機１２、位置検出部１３、速度検出部１４、時刻検出部１５などから構成される。ＧＰＳ用アンテナ１１は、ＧＰＳ衛星からのＧＰＳ信号を受信する。ＧＰＳ受信機１２は、ＧＰＳ用アンテナ１１で受信したＧＰＳ信号を復調して受信データを出力する。位置検出部１３は、受信データから車両の現在位置に関する位置情報（経度（例えば東経）および緯度（例えば北緯））を公知の方法で算出する。
【００１８】
速度検出部１４にはＧＰＳ受信機１２からの受信データが入力される。速度検出部１４はこの受信データから、車両の速度を検出する。具体的には、速度検出部１４は、例えば、特定の時点における位置情報と、所定の時間経過後における位置情報とから単位時間（例えば１秒）当たりの車両の移動距離を求めると共に、この移動距離から例えば車両の時速を算出することで、車両の速度を検出し、速度情報として出力する。なお、速度検出部１４における速度検出は、ドップラー効果を利用して行うこともできる。また、上記の速度検出部１４に代えて、例えば、車両自体に設置された速度検出機構によって求められた速度情報を用いる構成とすることもできる。
【００１９】
時刻検出部１５にはＧＰＳ受信機１２からの受信データが入力される。時刻検出部１５はこの受信データから現在時刻を検出して時刻情報（年月日時分秒）として出力する。
【００２０】
マイクロ波受信部２は、レーダ用アンテナ２１、マイクロ波検知部２２、制御部２３、警報発生部２４、履歴情報記憶部２５、表示部２６、場所情報記憶部２７、履歴情報記憶用スイッチ２８、表示用スイッチ２９などから構成される。
【００２１】
レーダ用アンテナ２１は、マイクロ波（レーダー波）を受信する。マイクロ波検知部２２は、レーダ用アンテナ２１が受信した電波を増幅すると共に所定の周波数のマイクロ波を受信したことを検知した場合には検出信号を制御部２３に出力する。制御部２３は、ＣＰＵおよびこのＣＰＵに所要の動作を実行させるためのコンピュータプログラムが記憶された記憶装置（ＨＤ（ハードディスク）、ＲＡＭ、ＲＯＭなど）などから構成される。警報発生部２４は、制御部２３の制御により、音（音声や警告音など）や光（例えばＬＥＤを点滅させる）などによる警報を発生する。
【００２２】
履歴情報記憶部２５は、上記位置情報、速度情報および時刻情報からなる履歴情報を記憶するためのものであり、ＨＤ、ＲＡＭなどの記憶装置から構成される。なお、ＨＤを用いる場合、上記のコンピュータプログラムが記憶されたＨＤの所定の記憶領域に履歴情報記憶部２５を形成する構成とすれば良い。ここで、履歴情報記憶部２５は、通常の走行において少なくとも１ヶ月、好ましくは数ヶ月（例えば１〜６ケ月）程度の履歴情報を記憶できるような大容量の記憶容量とすることが好ましい。これは、例えば地方の高速道路を走行する際に無人式速度取締装置により速度違反を判定された場合の運転者への通知が実走日から１〜３ヶ月程度遅れる場合があるためである。
【００２３】
表示部２６は、ＬＣＤ（液晶）やＬＥＤ（発光ダイオード）などから構成される公知の構造のものである。表示部２６は、後述するように制御部２３により制御され、種々の情報をＬＣＤやＬＥＤによる文字表示などで表示する。表示部２６には、後述するように、表示用スイッチ２９をオンにすることで所定の情報が表示される。
【００２４】
場所情報記憶部２７は、ＨＤ、ＲＡＭなどの記憶装置から構成され、速度取締が予想されている位置、つまりレーダ式速度測定器が設置された場所を表す場所情報（経度（東経）、緯度（北緯））が記憶されている。場所情報記憶部２７をＨＤで構成する場合、上記の履歴情報記憶部２５と同様に、上記コンピュータプログラムが記憶されたＨＤの所定の記憶領域に場所情報記憶部２７を形成する構成とすれば良い。さらに、履歴情報記憶用スイッチ２８は、公知の薄型スイッチ（例えばメンブレンスイッチ）や押しボタン式スイッチなどで構成され、スイッチオン時にはオン信号が制御部２３に出力される。表示用スイッチ２９も同様に公知の薄型スイッチや押しボタン式スイッチなどで構成され、スイッチオン時にはオン信号が制御部２３に出力される。
【００２５】
ここで、制御部２３には、位置検出部１３からの位置情報、速度検出部１４からの速度情報、時刻検出部１５からの時刻情報、上記検出信号などが入力されている。そして、制御部２３は、上記コンピュータプログラムに基づいて、後述する動作ないし処理を行う。
【００２６】
以上の構成である実施形態のマイクロ波検出装置の動作を次に説明する。まず、車両が所定の速度で走行している状態では、ＧＰＳ受信部１においては、位置検出部１３が時々刻々と変化する位置情報を、また速度検出部１４が速度情報を、それぞれ出力する。一方、マイクロ波検知部２２は所定の波数のマイクロ波を検出している。そして、マイクロ波検知部２２が所定周波数のマイクロ波を検出した場合、この検出出力は制御部２３に入力される。すると、制御部２３から警報発生部２４に警報出力の指示がなされ、警報発生部２４は所定の態様で警報を発生する。
【００２７】
また、制御部２３は、上記検出出力が入力されたタイミングにおいて入力された上記位置情報（例えば「東経１３９°３７’３７’’、北緯３５°２５’５５’’」）、上記速度情報（例えば「時速５０ｋｍ」）、および時刻情報（例えば「２００４年６月３０日午後３時１２分２５秒」を所定の順序で並べたデータ列からなる履歴情報を作成し、この履歴情報を履歴情報記憶部２５に記憶する。なお、この履歴情報は、例えば時刻、位置、または速度によって検索や並べ替えが自在な構成で記憶される。
【００２８】
ここで、より好ましい形態として、制御部２３において上記履歴情報を上記検出出力の入力とは無関係に常時作成し履歴情報記憶部２５に所定間隔（例えば１秒間隔）で逐次記憶させると共に記憶後所定時間（例えば２分間）経過した履歴情報は自動的に逐次削除するようにする。そして、上記の検出出力が入力された場合には、その入力タイミングの前の所定時間（例えば１分間）の履歴情報と、入力タイミングの後の所定時間（例えば１分間）の履歴情報を纏めて１つの情報として履歴情報記憶部２５に記憶する（この情報は自動的に削除しない）。これにより、検出出力の入力タイミングの前後の所定時間（前後１分間の合計２分間）の履歴情報が記憶され、入力タイミングの前後における速度情報およびその変化が判別できる。
【００２９】
さらに、場所情報記憶部２７に記憶された経度および緯度の場所、あるいはこの場所から所定の範囲（例えば半径２０ｍ以内、好ましくは５ｍ以内）に車両が到達した場合には、制御部２３によって警報発生部２４から所定の態様で警報が発生される。同時に、制御部２３は、上記到達したタイミングにおいて入力された上記位置情報、上記速度情報、および時刻情報から履歴情報を作成し、履歴情報記憶部２５に記憶する。さらに、制御部２３は、車両の運転者や同乗者などのユーザの操作によって履歴情報記憶用スイッチ２８がオンになった場合には、そのオン信号が入力されたタイミングにおいて入力された上記位置情報、上記速度情報、および時刻情報から履歴情報を作成し、履歴情報記憶部２５に記憶する。
【００３０】
以上のようにして、履歴情報記憶部２５には、数々の履歴情報が記憶され蓄積される。これらの履歴情報は、必要な場合に、ユーザが表示用スイッチ２８をオンにすることで表示部２６に表示される。この履歴情報の表示は、例えば時刻、速度、あるいは場所により自由に検索ないし並べ替えができる構成とする。
【００３１】
なお、以上説明した以外に、実施形態のマイクロ波検出装置にＦＤＤ（フレキシブルディスク駆動装置）やメモリカードリーダなどに接続するためのインターフェース部を設ける構成としても良い。この構成とすれば、上記履歴情報をＦＤ（フレキシブルディスク）やメモリに書き出してバックアップすることができる。さらに、ＦＤやメモリを介して他のコンピュータに履歴情報を保存することもできる。
【図面の簡単な説明】
【００３２】
【図１】本発明の実施形態のマイクロ波検出装置の要部を示したブロック図である。
【符号の説明】
【００３３】
１  ＧＰＳ受信部
２  マイクロ波受信部
１２  ＧＰＳ受信機
１３  位置検出部
１４  速度検出部
１５  時刻検出部
２２  マイクロ波検知部
２３  制御部
２４  警報発生部
２５  履歴情報記憶部
２６  表示部
２７  場所情報記憶部
２８  履歴情報記憶用スイッチ
２９  表示用スイッチ
【要約】
【課題】  車両の運行の履歴情報を適切なタイミングで記憶させることができる、マイクロ波検出装置を提供することを課題とすることができるる。
【解決手段】  ＧＰＳ受信部１と、マイクロ波受信部２とから構成される。ＧＰＳ受信部１において検出された位置情報と速度情報は、時刻検出部１５の時刻情報と共に制御部２３に入力される。制御部２３は、マイクロ波検知部２２が所定周波数のマイクロ波を検出したタイミング、場所情報記憶部２７に記憶されたレーダ式速度測定器が設置された場所に到達したタイミング、あるいは、履歴情報記憶用スイッチ２８がオンになったタイミングで、位置情報、速度情報、時刻情報からなる履歴情報を履歴記憶部２５に記憶する。記憶された履歴情報は、表示用スイッチ２９をオンにすることで、表示部２６に表示される。
【選択図】  図１
【図１】
0003656912.tif 000002